(57)【特許請求の範囲】
【請求項１】
内部に捕集空間部１１が形成され、下側が開放した採取管１０と、前記採取管１０の上部に形成され、採取管１０内の捕集空間部１１に連結された吸入管２１、及び前記吸入管２１に形成され、吸入管２１を開閉するように構成されるバルブ２２からなった試料吸入部２０と、前記採取管１０の捕集空間部１１に結合され、捕集空間部１１に真空を形成させるためのプランジャー３０とからなる捕集容器４０を含んでなり、
前記捕集容器４０のプランジャー３０を採取管内の捕集空間部１１に結合してから引いて容積変化による真空を形成するために、プランジャー３０の下側にはプランジャー結合部３１が形成され、前記プランジャー３０と結合してプランジャーを引くことができるようにプランジャー結合部３１に結合されるプランジャーアーム結合部６１が形成されたプランジャーアーム６０をさらに含んでなり、
前記プランジャーアーム６０においてプランジャーアーム結合部６１の他側にはスクリュー孔６２がさらに形成され、前記スクリュー孔６２に結合され、一側で動力発生手段８１に連結されたスクリュー８２を含む真空形成手段８０がさらに形成され、真空形成手段８０の動力発生手段８１の駆動によって、採取管１０の捕集空間部１１に結合されたプランジャー３０を引くことによって真空を形成するように構成され、
前記捕集容器４０及び真空形成手段８０を装着することができる回転型装着手段９０をさらに含んでなり、
前記回転型装着手段９０は、内側に多数の装着孔９１ａが形成された円形の回転体９１及び前記回転体９１の内側中央から下方に伸びる多数のボール収容凹部９２ａを含む第１軸９２からなる回転部９３と、前記回転部９３の第１軸９２の外側を回転可能に軸受する軸状の部材であって、ボール収容凹部９２ａに弾性により出入可能なボールスプリング９４ａを含む第２軸９４と、前記第２軸９４の下部に形成され、真空形成手段８０の動力発生手段８１を装着することができる装着台９５からなった装着部９６とを含んでなることにより、前記回転部９３が前記真空形成手段８０に対応する一定の間隔で回転可能であって、前記回転部９３を回転させて前記真空形成手段８０を前記プランジャアーム６０に順次結合することで連続的に試料を捕集できるようにしたことを特徴とする、ガス状試料捕集装置。
【請求項２】
前記捕集容器４０の採取管１０が結合可能な孔５１が縁部に円形に多数配列された結合プレート５０をさらに含んでなることを特徴とする、請求項１に記載のガス状試料捕集装置。
【請求項３】
前記捕集容器４０は採取管１０の外側に環状突条１２をさらに含み、
前記結合プレート５０は、前記捕集容器４０の採取管１０及び採取管１０に形成された環状突条１２に対応する多段状の第１孔５１ａが形成され、外縁部には第１結合部５２ａが形成された第１結合プレート５０ａと、前記第１結合プレート５０ａと対称の構造に形成され、第１結合プレート５０ａの上側に結合され、多段状の第２孔５１ｂが形成され、外縁部には第１結合プレート５０ｂの第１結合部５２ａと対応する第２結合部５２ｂが形成された第２結合プレート５０ｂとからなることを特徴とする、請求項２に記載のガス状試料捕集装置。
【請求項４】
前記捕集容器４０のプランジャー３０に形成されたプランジャー結合部３１とプランジャーアーム６０のプランジャーアーム結合部６１とはネジ部によって結合されるように構成されることを特徴とする、請求項１に記載のガス状試料捕集装置。
【請求項５】
前記プランジャーアーム６０によって捕集容器４０に設けられたプランジャー３０を移動させて真空を形成した後、採取管１０内の捕集空間部１１の真空を維持するために、プランジャー３０のプランジャー結合部３１に結合される固定部結合部７１と試料容器４０の採取管１０の外径より大きい形態の係止部７２とからなる固定部７０をさらに含んでなることを特徴とする、請求項１に記載のガス状試料捕集装置。
【発明の詳細な説明】
【技術分野】
【０００１】
本発明は大気中の試料を採取するためのガス状試料捕集装置に係り、より詳しくは捕集容器内部の真空形成の際にプランジャーを用いる方式を採択して容易に真空を形成することができ、捕集容器の内部に真空を形成するための真空形成手段の構造が簡単で携帯することができ、真空の形成後には固定部によってプランジャーを固定することができて真空を長期間維持することができ、多数の捕集容器を携帯しやすくするために結合プレートを形成し、大気中の試料採取の際に多くの位置で試料採取が可能であるだけでなく、多数の捕集容器の内部に真空形成のための作業を事前に行っておくとかあるいは現場でも容易に実施することができるガス状試料捕集装置に関するものである。
【背景技術】
【０００２】
有害化学物質管理法は、化学物質事故やテロ発生に備え、急性毒性または爆発性が強くて事故発生の可能性が高いとか、事故発生の際にその被害規模が大きくなるおそれがある化学物質を事故備え物質に指定して別に管理している。
【０００３】
このような事故備え物質の一部は揮発性が非常に強いため、化学物質事故やテロ発生の際に急速に広い地域に拡散して大きな被害を与える可能性が高い。したがって、このような化学物質事故やテロ発生の際には、１次にこれら物質に対する迅速な定性的確認が必要であり、危険地域の境界区域選定のための大気中への事故原因物質の露出量及び濃度の確認が必要である。
【０００４】
このような迅速な事故原因物質の分析のためには、なによりも事故備え物質及びテロ可能物質に対する分析が可能ではなければならなく、場合によってはこれら試料を運送して分析するための適切な試料採取方法が要求される。
【０００５】
特に、化学事故や化学テロ発生の際、迅速な対応のためには、被害現場の多地点で迅速な採取が行われなければならない。
【０００６】
一方、前記のように大気中の試料を採取するために、大韓民国登録特許第１０−４９９７２６号（２００５．０６．２８）を提案したことがある。前記“真空圧力を用いた大気中の悪臭及び揮発性有機和合物の試料自動捕集装置及びその方法”はハウジングの内部に試料捕集嚢を装着した後、ハウジングの内部に連結される真空ポンプでハウジング内部の空気を吸入すればハウジング内部の空圧が低くなって試料捕集嚢の内部が真空状態をなすように作動する。
【０００７】
その後、大気中の試料を採取するために、ハウジングの外部に連結された吸入管に試料捕集嚢を連結し、ハウジングの内部に真空を形成した後、吸入管バルブを開けば、真空が形成されたハウジングの内部に配置された試料捕集嚢に大気中の試料が吸入されて試料を採取するように作動するようになる。
【先行技術文献】
【特許文献】
【０００８】
【特許文献１】大韓民国登録特許第１０−４９９７２６号明細書
【発明の概要】
【発明が解決しようとする課題】
【０００９】
しかし、前記のような従来技術は毎度真空ポンプで試料捕集嚢に真空を形成しなければならないため、速かに大気中の試料を採取しにくい。すなわち、真空ポンプを作動して試料捕集嚢の内部に真空を形成するための作業時間が長くかかるだけでなく、真空ポンプと充電池がハウジングの内部に付着されたため、大きくなるとともに重くなる問題点があった。
【００１０】
また、通常大気中の試料採取は多様な地点で試料を採取しなければならない。従来技術の捕集装置を用いるためには、多数の捕集装置を用いなければならないため、多数の重い捕集装置の携帯が不便であって多様な地点で大気中の試料を採取することができない問題点もあった。
【００１１】
特に、実際に前記従来技術の捕集装置を用いるとき、真空ポンプを作動させるために充電池の充電を維持しておいた状態で緊急状況が発生するとき、捕集装置を携帯しなければならないが、使用者が捕集装置の充電が維持されていな状況では試料を採取することができない場合も発生するなどの問題点が露出された。
【課題を解決するための手段】
【００１２】
前記のような問題点を解決するための本発明のガス状試料捕集装置は、内部に捕集空間部が形成され、下側が開放した採取管と、前記採取管の上部に形成され、採取管内の捕集空間部に連結された吸入管、及び前記吸入管に形成され、吸入管を開閉するように構成されるバルブからなった試料吸入部と、前記採取管の捕集空間部に結合され、捕集空間部に真空を形成させるためのプランジャーとからなる捕集容器を含んでなることを特徴とする。
【００１３】
本発明において、前記捕集容器の採取管が結合可能な孔が縁部に円形に多数配列された結合プレートをさらに含んでなることを特徴とする。
【００１４】
本発明において、前記捕集容器は採取管の外側に環状突条をさらに含み、前記結合プレートは、前記捕集容器の採取管及び採取管に形成された環状突条に対応する多段状の第１孔が形成され、外縁部には第１結合部が形成された第１結合プレートと、前記第１結合プレートと対称の構造に形成され、第１結合プレートの上側に結合され、多段状の第２孔が形成され、外縁部には第１結合プレートの第１結合部と対応する第２結合部が形成された第２結合プレートとからなることを特徴とする。
【００１５】
本発明において、前記捕集容器のプランジャーを採取管内の捕集空間部に結合してから引いて容積変化による真空を形成するために、プランジャーの下側にはプランジャー結合部が形成され、前記プランジャーと結合してプランジャーを引くことができるようにプランジャー結合部に結合されるプランジャーアーム結合部が形成されたプランジャーアームをさらに含んでなることを特徴とする。
【００１６】
本発明において、前記捕集容器のプランジャーに形成されたプランジャー結合部とプランジャーアームのプランジャーアーム結合部とはネジ部によって結合されるように構成されることを特徴とする。
【００１７】
本発明において、前記プランジャーアームによって捕集容器に設けられたプランジャーを移動させて真空を形成した後、採取管内の捕集空間部の真空を維持するために、プランジャーのプランジャー結合部に結合される固定部結合部と試料容器の採取管の外径より大きい形態の係止部とからなる固定部をさらに含んでなることを特徴とする。
【００１８】
本発明において、前記プランジャーアームにおいてプランジャーアーム結合部の他側にはスクリュー孔がさらに形成され、前記スクリュー孔に結合され、一側で動力発生手段に連結されたスクリューを含む真空形成手段がさらに形成され、真空形成手段の動力発生手段の駆動によって、採取管の捕集空間部に結合されたプランジャーを引くことによって真空を形成するように構成されることを特徴とする。
【００１９】
本発明において、前記捕集容器及び真空形成手段を装着することができる回転型装着手段をさらに含んでなり、前記回転型装着手段は、内側に多数の装着孔が形成された円形の回転体及び前記回転体の内側中央から下方に伸びる多数のボール収容凹部を含む第１軸からなる回転部と、前記回転部の第１軸の外側を回転可能に軸受する軸状の部材であって、ボール収容凹部に弾性により出入可能なボールスプリングを含む第２軸と、前記第２軸の下部に形成され、真空形成手段の動力発生手段を装着することができる装着台からなった装着部とを含んでなることにより、前記回転部が前記真空形成手段に対応する一定の間隔で回転可能であって、前記回転部を回転させて前記真空形成手段を前記プランジャアームに順次結合することで連続的に試料を捕集できるようにしたことを特徴とする。
【発明の効果】
【００２０】
本発明は、捕集容器内部の真空形成の際にプランジャーを用いる方式を採択して容易に真空を形成することができる。また、捕集容器の内部に真空を形成するための真空形成手段の構造が簡単であって携帯することができ、真空の形成後には固定部によってプランジャーを固定することができるので真空を長期間維持することができるようになる。
【００２１】
特に、多数の捕集容器を携帯しやすくするために結合プレートを形成し、大気中の試料採取の際に多くの位置で試料採取が可能である。また、多数の捕集容器の内部に真空形成のための作業を事前に行っておくとかまたは現場でも容易に実施することができる有用な発明である。
【図面の簡単な説明】
【００２２】
【図１】本発明の捕集容器を示す分解斜視図である。
【図２】図１の断面図である。
【図３】結合プレートを示す断面図である。
【図４】捕集容器と結合プレートを結合した状態を示す状態図である。
【図５】プランジャーアームを結合した状態を示す断面図である。
【図６】図５を結合プレートに結合した状態を示す斜視図である。
【図７】捕集容器に固定部を結合した状態を示す状態図である。
【図８】図７を結合プレートに結合した状態を示す斜視図である。
【図９】真空形成手段を配置した状態を示す状態図である。
【図１０】回転型装着手段を示す斜視図である。
【図１１】図１０の断面図である。
【図１２】回転型装着手段に真空形成手段を結合して捕集容器に真空を形成するための状態を示す斜視図である。
【図１３】図１２の側面図である。
【図１４】本発明の捕集容器内部の真空形成過程を示す状態図である。
【発明を実施するための形態】
【００２３】
以下、添付図面に基づいて本発明の構成をさらに具体的に説明する。まず、本発明は大気中の試料を採取するための捕集容器４０を備えている。
【００２４】
前記捕集容器４０は、図１及び図２に示したように、透明ガラス材からなった一側の開放した構造に形成される採取管１０を備えている。特に、採取管１０は一側が開放して内部に試料を捕集することができる捕集空間部１１をなしている。
【００２５】
また、前記採取管１０の開放しなかった部分（上側部）には、外部に連結されて大気中の試料を採取することができる試料吸入部２０を備えている。
【００２６】
前記試料吸入部２０は中空管状の吸入管２１内に吸入管２１を開閉することができるバルブ２２が付着した形態に構成された。ここで、前記試料吸入部２０の吸入管２１とバルブ２２は多様な素材から形成することができるが、できるなら化学的に安定した素材から形成することが良い。そして、前記捕集容器４０の採取管１０内部の捕集空間部１１から上下に移動するように、捕集空間部１１と同一形状になったプランジャー３０を備えている。
【００２７】
前記プランジャー３０は採取管１０の開放した部分に挿入されて捕集空間部１１から上下に移動することによって捕集空間部１１内に真空を形成するように構成されるため、捕集空間部１１の内部で上下に移動可能であるとともに密閉性をなすことができる素材から形成することが良い。
【００２８】
一方、本発明は、図３及び図４のように、前述した捕集容器４０を多数配列することができる結合プレート５０をさらに含んでなる。したがって、前記結合プレート５０は円形に形成され、縁部には捕集容器４０の採取管１０の外径と同一直径に形成された多数の孔５１が円形に配列された構造となる。
【００２９】
このような前記結合プレート５０は、捕集容器４０の採取管１０の結合後に勝手に孔５１から抜け出ないように採取管１０の外部に環状突条１２がさらに形成され、前記結合プレート５０はおよそ対称の構造となった第１及び第２結合プレート５０ａ、５０ｂから構成されることができる。すなわち、前記結合プレート５０の第１結合プレート５０ａの縁部には多数の捕集容器４０の採取管１０を結合することができる第１孔５１ａが形成され、採取管１０に形成された環状突条１２が挿入されるように第１孔５１ａが多段状に形成される。
【００３０】
また、第２結合プレート５０ｂは、前記第１結合プレート５０ａの第１孔５１ａに結合される多数の捕集容器４０の離脱を防止するために、第１結合プレート５０ａの第１孔５１ａと同一形状に形成され、上下方向に互いに対称の構造の第２孔５１ｂが形成された。
【００３１】
特に、前記第１及び第２結合プレート５０ａ、５０ｂの外側面にはそれぞれ第１及び第２結合部５２ａ、５２ｂを形成することで、第１及び第２結合プレート５０ａ、５０ｂが互いに結合するように構成することが良い。
【００３２】
また、本発明は、捕集容器４０のプランジャー３０を上下に移動させて採取管１０内部の捕集空間部１１に真空を形成することができる手段をさらに備えることができる。すなわち、図５及び図６のように、前記プランジャー３０の一側（下側）にはプランジャー結合部３１が形成され、前記プランジャー結合部３１に結合可能なプランジャーアーム結合部６１を含むプランジャーアーム６２をさらに備えることで、プランジャー３０を捕集容器４０に形成された採取管１０の捕集空間部１１から上下方向に移動させることができる。
【００３３】
ここで、前記プランジャー結合部３１とプランジャーアーム結合部６１は多様な形態に形成することができるが、好ましくはネジ部の形態に構成することが良い。
【００３４】
特に、プランジャー３０に形成されたプランジャー結合部３１をボルト状に形成し、プランジャーアーム６０に形成されたプランジャーアーム結合部６１はナット状に形成することもでき、これとは反対に、プランジャー結合部３１をナット状に形成するとともにプランジャーアーム結合部６１をボルト状に形成することもできる。
【００３５】
また、本発明は、捕集容器４０の採取管１０で移動するプランジャー３０によって採取管１０内部の捕集空間部１１に真空を形成した後、真空が長時間維持されるように、図７及び図８のように、プランジャー３０を固定させる固定部７０をさらに備えることもできる。
【００３６】
このような固定部７０は、プランジャー３０を移動させるプランジャーアーム６０の結合を解除した後、プランジャー３０のプランジャー結合部３１に結合可能な固定部結合部７１と捕集容器４０の採取管１０の外径より大きい直径の係止部７２とからなる。
【００３７】
一方、本発明は、捕集容器４０の真空をより容易に形成するために、図９のように、真空形成手段８０をさらに備えることもできる。すなわち、前述したプランジャーアーム６０において、プランジャーアーム結合部６１が形成された端部の他端にスクリュー孔６２を形成し、前記真空形成手段８０は動力発生手段８１とプランジャーアーム６０のスクリュー孔６２に結合可能なスクリュー８２を備えることで、動力発生手段８１によってプランジャー３０が捕集容器４０の採取管１０の内部で上下に移動するように構成される。
【００３８】
ここで、前記真空形成手段８０の動力発生手段８１とスクリュー８２は図面には詳細に示されていないが、通常の結合部材または結合部を設けて着脱可能に構成することができるのはいうまでもない。
【００３９】
特に、前記真空形成手段８０の動力発生手段８１は回転による動力を伝達しながら構造的に簡単なモーターまたはモーターを含む手段であればいずれの形態に構成されてもかまわない。
【００４０】
一方、本発明は、前述した真空形成手段８０を用いて捕集容器４０の採取管１０の内部に形成された捕集空間部１１に真空を形成する場合、作業の便宜性をはかるために回転型装着手段９０をさらに備えることもできる。
【００４１】
前記回転型装着手段９０は、前述した捕集容器４０を結合プレート５０に結合した後、等間隔で配列された捕集容器４０を等間隔で回転させながら採取管１０の内部に挿入されるプランジャー３０を移動させることができる真空形成手段８０を装着することができるように構成された装置である。
【００４２】
このような回転型装着手段９０の構成をさらに具体的に説明すれば、回転型装着手段９０は、図１０〜図１３に示したように、捕集容器４０を結合している結合プレート５０を搭載することができながら一定の角度で回転させることができる回転部９３と、前記回転部３０と結合され、真空形成手段８０を装着することができる装着部９６とからなる。
【００４３】
まず、回転部９３は円形の板状に形成されており、捕集容器４０を結合するための結合プレート５０に形成される孔５１と等間隔で装着孔９１ａが形成された回転体９１と、前記回転体９１から下方に伸びている第１軸９２とからなる。
【００４４】
また、前記回転部９３の第１軸９２と結合する第２軸９４と、前記第２軸９４と結合され、真空形成手段８０を装着することができる装着台９５とからなる装着部９６を備えている。ここで、前記回転部９３が装着部９６で回転するとき、より円滑に回転するように第１及び第２軸９２、９４の間にはベアリングＢを備えることができる。
【００４５】
特に、本発明は、回転部９３が一定の間隔で回転して、結合プレート５０に結合された捕集容器４０が装着部９６の装着台９５に配置される真空形成手段８０に位置するように、第１軸９２には結合プレート５０に形成された孔５１の間隔と等間隔で形成されたボール収容凹部９２ａが形成され、第２軸９４にはボール収容凹部９２ａに着脱可能な形態のボールスプリング９４ａが設けられている。
このような構成により、回転部９３を回転させると、真空形成手段８０をプランジャアーム６０に順次結合することが可能であり、容易に連続的な試料の捕集ができる。
【００４６】
前記のような構成を有する本発明のガス状試料捕集装置の好適な実施例を詳細に説明すれば次のようである。まず、本発明のガス状試料捕集装置１００の真空を形成する方法について詳細に説明する。
【００４７】
１．真空形成方法
【実施例１】
【００４８】
まず、本発明による捕集容器４０の採取管１０の上部に形成された試料吸入部２０のバルブ２２を開放状態で作動させ、プランジャー３０を採取管１０の下側の開放部を通じて捕集空間部１１に挿入させ、プランジャー３０が採取管１０の上側まで到逹するように押し入れる。
【００４９】
その後、捕集容器４０の試料吸入部２０に形成されたバルブ２２を閉鎖状態で作動させるとともにプランジャー３０のプランジャー結合部３１にプランジャーアーム６０のプランジャーアーム結合部６１を結合する。
【００５０】
もちろん、前記プランジャーアーム６０の結合は、プランジャー３０を採取管１０の捕集空間部１１に挿入する前に行うこともできる。
【００５１】
その後、プランジャーアーム６０を使用者が引いてプランジャー３０を下方に移動させれば、採取管１０内部の捕集空間部１１は、図１４のように、容積は増加するが、捕集空間部１１に存在した空気が外部に排出された状態であるので真空が形成される。
【００５２】
その後、プランジャーアーム６０をプランジャー３０から結合解除すれば、捕集容器４０の採取管１０内部の捕集空間部１１が真空状態となるものである。
【００５３】
ここで、本発明は、前記のように真空が維持された採取管１０内部の捕集空間部１１の圧力が低下した状態でプランジャー３０が上部に移動する現象を防止するために、プランジャー３０に固定部７０を結合すれば、採取管１０に形成された捕集空間部１１の真空をもっと長く維持することができるようになる。
【００５４】
このような実施例１は、本発明による捕集容器４０の真空形成作業を使用者が事前に行って置かなかったときに緊急に用いることができる方法である。
【実施例２】
【００５５】
この実施例２は前述した使用者がプランジャーアーム６０を引く実施例１の方法と一部類似しているが、真空形成手段８０を使うという点で一部違いがある。
すなわち、実施例１の場合、捕集容器４０の真空形成作業を事前に遂行しなかったときに使用者がプランジャーアーム６０を引いて捕集容器４０の採取管１０に形成された捕集空間部１１に真空を形成する方法であるが、この実施例２は、前記プランジャー結合部３１の一側に形成されたスクリュー孔６２に真空形成手段８０のスクリュー８２を結合した後、これを動力発生手段８１で回転させて、採取管１０の内部に結合されたプランジャー３０を手軽く引くとよいので、使用者の便宜性を向上させることができるようになる。
ここで、前記真空形成手段８０は、モーターを含む形態、つまり充電式電動ドライバーや充電式ハンドドリルのような道具を用いて使用することができる。
したがって、事前に捕集容器４０に真空を形成するとき、または多数の捕集容器４０のいずれか一つ以上の捕集容器４０を使ったとき、または自然に真空が解除された捕集容器４０に真空を形成するとき、または現場出動の際に現場でも使うことができるなど、多様な環境で利用可能な形態である。
【実施例３】
【００５６】
この実施例３は、現場出動に先立ち、前もって捕集容器４０の採取管１０に形成された捕集空間部１１に真空を形成することができる方法、言い換えれば回転型装着手段９０による真空形成方法について説明する。
【００５７】
この実施例３は、実施例２と類似した方式で進むが、真空形成手段８０の動力発生手段８１としてモーターを用い、また捕集容器４０が結合された結合プレート５０に結合された状態の捕集容器４０に形成された採取管１０の捕集空間部１１に真空を形成する最適化した方法である。
【００５８】
これを詳細に説明すれば、捕集容器４０が結合された円形の結合プレート５０を回転型装着手段９０の回転部９３に形成された回転体９１に装着させる。
【００５９】
この際、前記回転体９１には結合プレート５０に形成された孔５１と同一の間隔及び個数の装着孔９１ａが形成されるので、結合プレート５０に結合された捕集容器４０の中で開放した部分が回転体９１から下方に伸びた形状に配置される。
【００６０】
この際、前記捕集容器４０の採取管１０の内部には、実施例１及び２のように、前もってプランジャー３０を結合した状態である。
【００６１】
その後、モーター型の動力発生手段８１を含む真空形成手段８０を回転型装着手段９０の装着部９６に形成された装着台９５に配置する。
【００６２】
ここで、前記のように装着台９５に結合される真空形成手段８０は通常の結合部材（図示せず）によって固定結合され、捕集容器４０の真空を形成することができる位置に正確に配置できるように構成されることはいうまでもない。
【００６３】
前記のように、すべての構成要素の配置及び設置が終われば、真空形成手段８０とプランジャー３０との間に結合されたプランジャーアーム６０に結合して、いずれか一つの捕集容器４０の真空を形成する。
【００６４】
その後、プランジャーアーム６０と真空形成手段８０の結合を解除した後、回転型装着手段９０の回転部９３を回転させれば、回転部９３の第１軸９３と装着部９６の第２軸９４に形成されたボール収容凹部９２ａ及びボールスプリング９４ａの作動により、真空が形成されなかった他の捕集容器４０が真空形成手段８０の位置に配置されて、真空の形成を繰り返し遂行するように作用する。
【００６５】
２．本発明の使い方
【００６６】
ここでは、本発明のガス状試料捕集装置の使い方について説明する。本発明のガス状試料捕集装置１００の使い方は非常に簡単である。
【００６７】
本発明のガス状試料捕集装置１００は、多数の捕集容器４０、より具体的に１０個が一組をなすように形成された結合プレート５０を使用者が持っていって、捕集容器４０の試料吸入部２０に形成されたバルブ２２を開放させれば、真空が形成された採取管１０の捕集空間部１１に大気中の試料が吸入される。
【００６８】
一方、前記のように採取された試料が一定量となれば、バルブ２２を閉めた後、他の地点で他の捕集容器４０のバルブ２２を開閉する作業を繰り返し行うことで、多くの地点で大気中の試料を採取することができるようになる。
【００６９】
もちろん、前記のように採取された試料は、バルブ２２を開いておくか、あるいはプランジャー３０をバルブ２２の方向に押して抜き出した後、捕集容器４０を洗浄及び真空形成を再び行うことで再び使うことができ、試料の正確な測定のために、採取管の代わりに化学的に安定した物質から採取管１０を形成して使い捨て用に用いることもできる。
【符号の説明】
【００７０】
４０    捕集容器
１０    採取管
１１    捕集空間部
１２    環状突条
２０    試料吸入部
２１    吸入管
２２    バルブ
３０    プランジャー
３１    プランジャー結合部
５０    結合プレート
５１    孔
５０ａ    第１結合プレート
５１ａ    第１孔
５２ａ    第１結合部
５０ｂ    第２結合プレート
５１ｂ    第２孔
５２ｂ    第２結合部
６０    プランジャーアーム
６１    プランジャーアーム結合部
６２    スクリュー孔
７０    固定部
７１    固定部結合部
７２    係止部
８０    真空形成手段
８１    動力発生手段
８２    スクリュー
９０    回転型装着手段
９３    回転部
９１    回転体
９１ａ    装着孔
９２    第１軸
９２ａ    ボール収容凹部
９６    装着部
９４    第２軸
９４ａ    ボールスプリング
９５    装着台
１００    ガス状試料捕集装置
【図１】
0005851054.tif 000002
【図２】
0005851054.tif 000003
【図３】
0005851054.tif 000004
【図４】
0005851054.tif 000005
【図５】
0005851054.tif 000006
【図６】
0005851054.tif 000007
【図７】
0005851054.tif 000008
【図８】
0005851054.tif 000009
【図９】
0005851054.tif 000010
【図１０】
0005851054.tif 000011
【図１１】
0005851054.tif 000012
【図１２】
0005851054.tif 000013
【図１３】
0005851054.tif 000014
【図１４】
0005851054.tif 000015